【手続補正書】
【提出日】平成24年5月17日(2012.5.17)
【手続補正１】
【補正対象書類名】特許請求の範囲
【補正対象項目名】全文
【補正方法】変更
【補正の内容】
【特許請求の範囲】
【請求項１】
光学像を画像信号に変換する撮像手段、及び、前記撮像手段に入射する光学像を光学的にズームするか、前記撮像手段の出力画像信号を電子的にズームするズーム手段を具備する撮像部と、
前記撮像部により撮像された画像信号からなる映像信号を記録媒体に記録する記録手段であって、前記映像信号の前記記録媒体への記録フレームレート及び前記ズーム手段のズーム操作情報を前記記録媒体に記録する記録手段と、
前記ズーム手段を操作するズーム操作手段と、
前記ズーム操作手段の操作に応じて、前記映像信号の前記記録媒体への記録フレームレートを制御する制御手段であって、前記ズーム操作手段の操作中を含む期間では、前記記録フレームレートを通常フレームレートよりも高くする制御手段と、
設定された再生モードに従い、前記記録媒体から前記映像信号を再生する再生手段であって、前記ズーム操作情報に従い、前記ズーム操作手段の操作中を含む期間では、前記映像信号を間引いて前記通常フレームレートで再生出力する再生手段
とを具備することを特徴とする撮像装置。
【請求項２】
更に、前記ズーム手段のズーム速度を検出するズーム速度検出手段を備え、
前記制御手段は、前記ズーム速度検出手段で検出された前記ズーム速度に基づいて、前記記録フレームレートを制御することを特徴とする請求項１に記載の撮像装置。
【請求項３】
前記ズーム操作手段の操作中を含む期間が、前記ズーム操作手段の操作中の期間のみからなることを特徴とする請求項１又は２に記載の撮像装置。
【請求項４】
前記ズーム操作手段の操作中を含む期間が、前記ズーム操作手段の操作中の期間と、その前後の期間からなることを特徴とする請求項１又は２に記載の撮像装置。
【請求項５】
前記通常フレームレートの映像信号と前記通常フレームレートでない映像信号が、前記記録媒体の互いに異なるエリアに格納され管理されることを特徴とする請求項１乃至４の何れか１項に記載の撮像装置。
【請求項６】
光学像を画像信号に変換する撮像手段、及び、前記撮像手段に入射する光学像を光学的にズームするか、前記撮像手段の出力画像信号を電子的にズームするズーム手段を具備する撮像部と、
前記撮像部により撮像された画像信号からなる映像信号を記録媒体に記録する記録手段と、
前記ズーム手段を操作するズーム操作手段と、
前記ズーム操作手段の操作に応じて、前記映像信号の前記記録媒体への記録フレームレートを制御する制御手段であって、前記ズーム操作手段の操作中を含む期間では、前記記録フレームレートを通常フレームレートよりも高くする制御手段
とを具備する撮像装置。
【請求項７】
請求項６に記載の撮像装置によって記録された前記映像信号を、設定された再生モードに従い再生する再生手段であって、前記記録手段は、前記映像信号の前記記録媒体への記録フレームレート及び前記ズーム手段のズーム操作情報を前記記録媒体に記録し、前記ズーム操作情報に従い、前記ズーム操作手段の操作中を含む期間では、前記映像信号を間引いて前記通常フレームレートで再生出力する再生手段
を具備する再生装置。
【手続補正２】
【補正対象書類名】明細書
【補正対象項目名】発明の名称
【補正方法】変更
【補正の内容】
【発明の名称】撮像装置および再生装置
【手続補正３】
【補正対象書類名】明細書
【補正対象項目名】０００１
【補正方法】変更
【補正の内容】
【０００１】
本発明は、ビデオカメラ又はデジタルカメラ等の、動画像を記録する撮像装置およびその動画像を再生する再生装置に関する。
【手続補正４】
【補正対象書類名】明細書
【補正対象項目名】００１５
【補正方法】変更
【補正の内容】
【００１５】
本発明は、このような不都合を解消し、撮影者の意図を反映したフレームレートの変更を可能にし、既存の視聴再生環境との互換性を考慮した撮像装置およびその動画像を再生する再生装置を提示することを目的とする。
【手続補正５】
【補正対象書類名】明細書
【補正対象項目名】００１６
【補正方法】変更
【補正の内容】
【００１６】
本発明に係る撮像装置は、光学像を画像信号に変換する撮像手段、及び、前記撮像手段に入射する光学像を光学的にズームするか、前記撮像手段の出力画像信号を電子的にズームするズーム手段を具備する撮像部と、前記撮像部により撮像された画像信号からなる映像信号を記録媒体に記録する記録手段であって、前記映像信号の前記記録媒体への記録フレームレート及び前記ズーム手段の前記ズーム操作情報を前記記録媒体に記録する記録手段と、前記ズーム手段を操作するズーム操作手段と、前記ズーム操作手段の操作に応じて、前記映像信号の前記記録媒体への記録フレームレートを制御する制御手段であって、前記ズーム操作手段の操作中を含む期間では、前記記録フレームレートを通常フレームレートよりも高くする制御手段と、設定された再生モードに従い、前記記録媒体から前記映像信号を再生する再生手段であって、前記ズーム操作情報に従い、前記ズーム操作手段の操作中を含む期間では、前記映像信号を間引いて前記通常フレームレートで再生出力する再生手段とを具備することを特徴とする。
本発明に係る再生装置は、上述の撮像装置によって記録された前記映像信号を、設定された再生モードに従い再生する再生手段であって、前記記録手段は、前記映像信号の前記記録媒体への記録フレームレート及び前記ズーム手段のズーム操作情報を前記記録媒体に記録し、前記ズーム操作情報に従い、前記ズーム操作手段の操作中を含む期間では、前記映像信号を間引いて前記通常フレームレートで再生出力する再生手段を具備する。
【手続補正６】
【補正対象書類名】明細書
【補正対象項目名】００２４
【補正方法】変更
【補正の内容】
【００２４】
図１では、音声入力手段と、音声入力手段により入力された音声信号の処理系を省略してあるが、入力音声データは、メモリ４０を介して圧縮伸長回路４４に供給される。圧縮伸長回路４４は、入力された画像データおよび音声データを、ＭＰＥＧ２（Moving Picture Experts Group 2）又はＨ.２６４などの動画像圧縮方式に従い圧縮符号化および多重化し、所定のフォーマットで出力する。
【手続補正７】
【補正対象書類名】明細書
【補正対象項目名】００４１
【補正方法】変更
【補正の内容】
【００４１】
図５は、各フレームの映像データに付加されるメタデータの構造とデータの一例を示す。映像データは、ヘッダ部、メタデータ部及びデータ部からなる。ヘッダ部には、撮影機器、フォーマット情報及びサムネイル情報など、時刻によって変化しない基本情報が格納される。メタデータ部には、日付、時間、記録フレームレート及びシャッタ速度など、様々な撮像条件下で更新される情報が格納される。データ部には、所定フォーマットで符号化された画像データと音声データが格納される。メタデータは、ＸＭＬ（eXtensible Markup Language）又はＨＴＭＬ（Hyper Text Markup Language）等の記述言語によりメタデータ形式で映像データに埋め込まれる。メタデータをバイナリデータ又はウォーターマークとして付加してもよい。
【手続補正８】
【補正対象書類名】明細書
【補正対象項目名】００４９
【補正方法】変更
【補正の内容】
【００４９】
異なる記録フレームレートが混在する場合（Ｓ１２）、システム制御回路５０は、ユーザによって予め設定されたズーム特殊再生効果に基づき（Ｓ１３）、以下のように表示フレームと音声出力を制御する（Ｓ１４、Ｓ１５）。図９は、ズーム操作を反映する特殊再生モードとその作用の対応表を示す。
【手続補正９】
【補正対象書類名】明細書
【補正対象項目名】００７１
【補正方法】変更
【補正の内容】
【００７１】
記録時には、ズーム操作検出部５０−１は、ユーザによるズーム操作の有無と、ズーム操作時のズーム速度を検出し、検出されたズーム操作情報をフレームレート制御部５０−２に供給する。フレームレート制御部５０−２は、ズーム操作検出部５０−１からのズーム操作情報に従い、記録フレームレートを制御する。ファイル管理データ生成部５０−３は、記録媒体４８に蓄積される映像データのフレームレート及びズーム操作情報を、ファイル管理データにメタデータとして格納する。また、映像データの各フレームと関連付けられている限り、記録フレームレート及びズーム操作情報を、映像ファイルとは別ファイルに格納してもよいことは明らかである。